(57)【要約】【課題】太陽光パネル設置用浮き架台を製造する際に２つの成形型を使用して、製造コストの削減を図る。【解決手段】第１成形型１７Ａは、フロート１０と立設支持部１１を成形すると共に、ブリッジ部１５Ａ、１５Ｂに沿った隙間部Ｅを有し、第２成形型１７Ｂは、ブリッジ部１５Ａ、１５Ｂに沿った隙間部Ｅを埋めるような形状であり、第１成形型１７Ａと共に、ブリッジ部１５Ａ、１５Ｂを成形することが出来る。これにより、製造時に第２成形型を使用するかしないかの違いだけで、形状の違う構造物を作り分けることができる。【選択図】図８
2018030588.tif 000002
【特許請求の範囲】
【請求項１】
水面又は海面（符号Ａ参照。以下、単に“水面”とする）に浮くように構成されると共に該水面（Ａ）に浮いている場合に上下に貫通するように配置されるフロート開口部（１２）を有するフロート部（１０）と、該フロート部（１０）から上方に立設される立設位置（１１Ａ）に配置された場合に前記太陽光パネル（Ｐ）を所定の角度（θ）に傾斜した姿勢に支持するように構成された立設支持部（１１）と、前記立設位置（１１Ａ）ではなく前記フロート開口部（１２）の内部の位置であって前記フロート部（１０）に収容される収容位置（１１Ｂ）に前記立設支持部（１１）を支持するように該立設支持部（１１）と該フロート部（１０）とを連結するブリッジ部（１５Ａ，１５Ｂ）と、からなる太陽光パネル設置用浮き架台（１）を第１成形型（１７Ａ）と第２成形型（１７Ｂ）とを使用して一体的に成形する方法であって、
該第１成形型（１７Ａ）は、前記フロート部（１０）と前記立設支持部（１１）とを成型し得ると共に前記ブリッジ部（１５Ａ，１５Ｂ）に沿った隙間部（Ｅ)を有する形状であり、
前記第２成形型（１７Ｂ）は、該ブリッジ部（１５Ａ，１５Ｂ）に沿った隙間部（Ｅ)を埋めるような形状であって前記第１成形型（１７Ａ）と共に前記ブリッジ部（１５Ａ，１５Ｂ）を成形し得る形状である、
ことを特徴とする浮き架台製造方法。
【請求項２】
前記第２成形型（１７Ｂ）を使用せずに前記第１成形型（１７Ａ）を使用して成形を行うことにより、前記隙間部（Ｅ)にまで射出材料が充填されて前記第２成形型（１７Ｂ）を使用した場合に比べて太い連結部（１６Ａ，１６Ｂ）を形成することができる、
ことを特徴とする請求項１に記載の浮き架台製造方法。
【請求項３】
水又は海水よりも比重が軽くて浮力を生じさせる浮材（１０ａ）を前記フロート部（１０）の内部に充填する、
ことを特徴とする請求項１に記載の浮き架台製造方法。
【発明の詳細な説明】
【技術分野】
【０００１】
本発明は、太陽光パネルを水面に浮かせた状態で設置するための、太陽光パネル設置用浮き架台を製造する浮き架台製造方法に関する。
【背景技術】
【０００２】
近年、自然の力で定常的に補充されて消費され尽くされることが無い再生可能エネルギー（具体的には、太陽光や風力やバイオマスや地熱など）が世界の各地において注目されている。
【０００３】
このような再生可能エネルギーを用いた発電方法の一つである太陽光発電は、設置する地域についての制約が他の発電方法に比べて少なく、また、機器のメンテナンスもほとんど不要である等のメリットを有していることから注目されており、大規模な太陽光発電システム（いわゆるメガソーラー発電所）が世界の各地に建設されている。
【０００４】
このようなメガソーラー発電所は休眠地（例えば、耕作放棄地や山間部など）に建設されるのが一般的であったが、該メガソーラー発電所を建設するに足る広大な休眠地を見つけることが困難であるという問題があった。また、山間部にメガソーラー発電所を建設する場合には土地の造成が必要となり、時間やコストが掛かってしまうという問題もあった。そこで、このような問題を解決する方法として、太陽光パネルを池や湖や海や河川等に浮かべた状態で設置するという方法が実用化されており、そのための設備（つまり、太陽光パネル設置用浮き架台）として種々の構造のものが提案されている（特許文献１参照）。
【０００５】
図１１は、太陽光パネル設置用浮き架台の従来構造の一例を示す斜視図であり、符号Ｐは、太陽光パネルを示し、符号２００は、該太陽光パネルＰを傾斜させた状態で支持するプラスチック製のケーシングを示し、符号３００は、該ケーシング２００とケーシング２００との間に介装される連結用要素を示している。このケーシング２００は、内部に空気を閉じ込めてフロートを構成できるものであって、図１２（ａ）に詳示するように、水平方向に突出する耳部２００ａをその四隅に有しており、該耳部２００ａには孔が形成されている（図１２（ｂ）参照）。また、前記連結用要素３００も、水平方向に突出する耳部３００ａをその四隅に有しており、該耳部３００ａには孔が形成されている（図１２（ｂ）)参照）。そして、これらの耳部２００ａ，３００ａの孔に留めピン４００を挿通させることにより、図１１に示すように複数のケーシング２００や複数の連結用要素３００を互いに接続するように構成されている。なお、図示の構造物では、前記連結用要素３００が連続するように配置されて通路を形成していて、作業者がその上を歩くことができるようになっている。
【先行技術文献】
【特許文献】
【０００６】
【特許文献１】特表２０１４−５１１０４３号公報
【発明の概要】
【発明が解決しようとする課題】
【０００７】
ところで、前記太陽光パネル設置用浮き架台を設置する現場では前記ケーシング２００を何十とか何百とか何千とかの数量を必要とし、それらの多量のケーシング２００はトラックや列車等で運搬しなければならない。しかしながら、上述のケーシング２００はかなりの体積があるため、１度に運べる数量が制限されてしまい、その分、運搬コストが高くなってしまうという問題があった。
【０００８】
また、各ケーシング２００は上述のような留めピン４００で連結されているが、その連結部分に力が集中してしまって、ひび割れ等が発生し易い等の問題もあった。
【０００９】
本発明は、上述の問題を解消することのできる太陽光パネル設置用浮き架台製造方法を提供することを目的とするものである。
【課題を解決するための手段】
【００１０】
本発明の第１の観点は、図１に例示するものであって、太陽光パネル（Ｐ）を水面又は海面（符号Ａ参照。以下、単に“水面”とする）に浮かせた状態で設置するための太陽光パネル設置用浮き架台（１）において、
該水面（Ａ）に浮くように構成されるフロート部（１０）と、
該フロート部（１０）から上方に立設される立設位置（１１Ａ）に着脱自在に配置されると共に該立設位置（１１Ａ）に配置された場合に前記太陽光パネル（Ｐ）を所定の角度（θ）に傾斜した姿勢に支持するように構成された立設支持部（１１）と、
を備え、
前記フロート部（１０）は、前記水面（Ａ）に浮いている場合に上下に貫通するように配置される開口部（図２及び図３の符号１２参照。以下、“フロート開口部 “とする）を有し、
前記立設支持部（１１）は、該フロート開口部（１２）の内部に配置されて前記フロート部（１０）に収容される収容位置（図４（ａ）（ｂ）の符号１１Ｂ参照）を取り得るように構成されたことを特徴とする。
【００１１】
本発明の第２の観点は、前記フロート部（１０）はレール部（図１３（ａ）（ｂ）の符号１０ｄ参照）を有し、
前記立設支持部（１１）は、該レール部（１０ｄ）に摺動自在に嵌入され得る嵌入部（図１３（ｃ）（ｄ）の符号１１ｃ参照）を有し、
該嵌入部（１１ｃ）が該レール部（１０ｄ）に嵌入されることにより、前記立設支持部（１１）は前記立設位置（１１Ａ）を取った状態で前記フロート部（１０）に支持されるように構成されたことを特徴とする。
【００１２】
本発明の第３の観点は、前記レール部（１０ｄ）は、前記フロート部（１０）が前記水面（Ａ）に浮いている場合に略水平方向に延設されるように形成され、
該フロート部（１０）の上面（１０ｉ）には、前記立設位置（１１Ａ）にある前記立設支持部（１１）を挟持するように少なくとも一対の突起部（１０ｇ，１０ｈ）が形成されていることを特徴とする。
【００１３】
本発明の第４の観点は、図５に例示するものであって、前記立設支持部（１１）の上端部近傍には、前記太陽光パネル（Ｐ）の一部（Ｐａ）が挿入されることにより該太陽光パネル（Ｐ）を支持するスリット部（１１ｂ）が形成されてなることを特徴とする。
【００１４】
本発明の第５の観点は、前記フロート開口部（１２）の縁部には、前記太陽光パネル設置用浮き架台（１）を前記水面（Ａ）に係留するための係留用長尺部材（図６の符号１８参照）を係止する係留用係止部（１０ｃ）が形成され、
該係留用長尺部材（１８）を前記係留用係止部（１０ｃ）に係止させることにより、前記フロート開口部（１２）内における該係留用長尺部材（１８）の自由な移動を阻止できるようにしたことを特徴とする。
【００１５】
本発明の第６の観点は、図３に例示するように、前記水面（Ａ）に沿った一の水平方向をｘ方向とし、該ｘ方向に直交する他の水平方向をｙ方向とした場合に、
前記フロート部（１０）は、前記立設支持部（１１）により支持された前記太陽光パネル（Ｐ）に覆われない位置にまで前記ｘ方向に延設されると共にその上面（１００ａ）の少なくとも一部が略平坦であるように形成されて足場として機能するように構成された足場部（１００）を有することを特徴とする。
【００１６】
本発明の第７の観点は、前記フロート部（１０）は、水又は海水よりも比重が軽くて浮力を生じさせる浮材（１０ａ）を有することを特徴とする。
【００１７】
本発明の第８の観点は、図１乃至図３に例示するものであって、太陽光パネル（Ｐ）を水面又は海面（符号Ａ参照。以下、単に“水面”とする）に浮かせた状態で設置するための太陽光パネル設置用構造物（Ｄ）において、
１つの太陽光パネル設置用浮き架台（１）である第１浮き架台（１ＢＲ）と、
１つの太陽光パネル設置用浮き架台（１）であって、前記第１浮き架台（１ＢＲ）の前記ｘ方向に隣接されてなる第２浮き架台（１ＢＬ）と、
１つの太陽光パネル設置用浮き架台（１）であって、前記第１浮き架台（１ＢＲ）の前記ｙ方向に離間した状態で配置されてなる第３浮き架台（１ＡＲ）と、
１つの太陽光パネル設置用浮き架台（１）であって、前記第２浮き架台（１ＢＬ）の前記ｙ方向に離間した状態で配置されてなる第４浮き架台（１ＡＬ）と、
一端部（１４ａ）が前記第１浮き架台（１ＢＲ）及び／又は前記第２浮き架台（１ＢＬ）に載置されると共に他端部（１４ｂ）が前記第３浮き架台（１ＡＲ）及び／又は前記第４浮き架台（１ＡＬ）に載置されることに基づき該第１浮き架台（１ＢＲ）及び／又は該第２浮き架台（１ＢＬ）と該第３浮き架台（１ＡＲ）及び／又は該第４浮き架台（１ＡＬ）とに架け渡される板状部材（１４）と、
前記板状部材（１４）の前記一端部（１４ａ）と前記第１浮き架台（１ＢＲ）と前記第２浮き架台（１ＢＬ）とに巻き掛けられて配置される可撓性に富む第１帯状体（１３Ａ）と、
前記板状部材（１４）の前記他端部（１４ｂ）と前記第３浮き架台（１ＡＲ）と前記第４浮き架台（１ＡＬ）とに巻き掛けられて配置される可撓性に富む第２帯状体（１３Ｂ）と、
を備え、
前記第１浮き架台（１ＢＲ）と前記第２浮き架台（１ＢＬ）とは、前記第１帯状体（１３Ａ）が巻き掛けられて連結されることに基づき、ｘ軸周りの相対回転及びｙ軸周りの相対回転が許容されるように構成され、
前記第３浮き架台（１ＡＲ）と前記第４浮き架台（１ＡＬ）とは、前記第２帯状体（１３Ｂ）が巻き掛けられて連結されることに基づき、ｘ軸周りの相対回転及びｙ軸周りの相対回転が許容されるように構成され、
前記第１浮き架台（１ＢＲ）及び前記第２浮き架台（１ＢＬ）と前記板状部材（１４）とは、前記第１帯状体（１３Ａ）が巻き掛けられて連結されることに基づき、ｘ軸周りの相対回転及びｙ軸周りの相対回転が許容されるように構成され、
前記第３浮き架台（１ＡＲ）及び前記第４浮き架台（１ＡＬ）と前記板状部材（１４）とは、前記第２帯状体（１３Ｂ）が巻き掛けられて連結されることに基づき、ｘ軸周りの相対回転及びｙ軸周りの相対回転が許容されるように構成されたことを特徴とする。
【００１８】
本発明の第９の観点は、図７（ａ）（ｂ）に例示するものであって、前記第１浮き架台（１ＢＲ，２１ＢＲ）の端部であって前記第２浮き架台（１ＢＬ，２１ＢＬ）に対向する側の第１端部（１ＢＲ１，２１ＢＲ１）、及び該第２浮き架台（１ＢＬ，２１ＢＬ）の端部であって該第１浮き架台（１ＢＲ，２１ＢＲ）に対向する側の第２端部（１ＢＬ２，２１ＢＬ２）は、該第１端部（１ＢＲ１，２１ＢＲ１）と該第２端部（１ＢＬ２，２１ＢＬ２）とが点接触又は線接触をするように角部を有する状態に形成されて、前記第１浮き架台（１ＢＲ，２１ＢＲ）及び前記第２浮き架台（１ＢＬ，２１ＢＬ）のｘ軸周りの相対回転及びｙ軸周りの相対回転が許容されるように構成され、
前記第３浮き架台（１ＡＲ，２１ＡＲ）の端部であって前記第４浮き架台（１ＡＬ，２１ＡＬ）に対向する側の第３端部（１ＡＲ１，２１ＡＲ１）、及び該第４浮き架台（１ＡＬ，２１ＡＬ）の端部であって該第３浮き架台（１ＡＲ，２１ＡＲ）に対向する側の第４端部（１ＡＬ２，２１ＡＬ２）は、該第３端部（１ＡＲ１，２１ＡＲ１）と該第４端部（１ＡＬ２，２１ＡＬ２）とが点接触又は線接触をするように角部を有する状態に形成されて、前記第３浮き架台（１ＡＲ，２１ＡＲ）及び前記第４浮き架台（１ＡＬ，２１ＡＬ）のｘ軸周りの相対回転及びｙ軸周りの相対回転が許容されるように構成されたことを特徴とする。
【００１９】
本発明の第１０の観点は、水面又は海面（符号Ａ参照。以下、単に“水面”とする）に浮くように構成されると共に該水面（Ａ）に浮いている場合に上下に貫通するように配置されるフロート開口部（１２）を有するフロート部（１０）と、該フロート部（１０）から上方に立設される立設位置（１１Ａ）に配置された場合に前記太陽光パネル（Ｐ）を所定の角度（θ）に傾斜した姿勢に支持するように構成された立設支持部（１１）と、前記立設位置（１１Ａ）ではなく前記フロート開口部（１２）の内部の位置であって前記フロート部（１０）に収容される収容位置（１１Ｂ）に前記立設支持部（１１）を支持するように該立設支持部（１１）と該フロート部（１０）とを連結するブリッジ部（１５Ａ，１５Ｂ）と、からなる太陽光パネル設置用浮き架台（図４（ｂ）の符号１参照）を第１成形型（図８（ａ）（ｂ）の符号１７Ａ参照）と第２成形型（同図の符号１７Ｂ参照）とを使用して一体的に成形する方法であって、
該第１成形型（１７Ａ）は、前記フロート部（１０）と前記立設支持部（１１）とを成型し得ると共に前記ブリッジ部（１５Ａ，１５Ｂ）に沿った隙間部（図８（ｂ）の破線で囲まれた領域であって、符号Ｅで示す領域)を有する形状であり、
前記第２成形型（１７Ｂ）は、該ブリッジ部（１５Ａ，１５Ｂ）に沿った隙間部（Ｅ)を埋めるような形状であって前記第１成形型（１７Ａ）と共に前記ブリッジ部（１５Ａ，１５Ｂ）を成形し得る形状であることを特徴とする。
【００２０】
本発明の第１１の観点は、図９（ａ）（ｂ）に例示するものであって前記第２成形型（１７Ｂ）を使用せずに前記第１成形型（１７Ａ）を使用して成形を行うことにより、前記隙間部（Ｅ)にまで射出材料が充填されて前記第２成形型（１７Ｂ）を使用した場合に比べて太い連結部（１６Ａ，１６Ｂ）を形成することができることを特徴とする。
【００２１】
本発明の第１２の観点は、水又は海水よりも比重が軽くて浮力を生じさせる浮材（１０ａ）を前記フロート部（１０）の内部に充填することを特徴とする。
【００２２】
なお、括弧内の番号などは、図面における対応する要素を示す便宜的なものであり、従って、本記述は図面上の記載に限定拘束されるものではない。
【発明の効果】
【００２３】
上記した第１の観点によれば、前記立設支持部を前記収容位置に配置している場合には、該立設支持部を前記立設位置に配置している場合に比べて前記フロート部からの該立設支持部の突出量を少なくでき（つまり、該立設支持部は該フロート部に収容されている状態となり）、前記太陽光パネル設置用浮き架台を設置する現場までは該太陽光パネル設置用浮き架台を荷姿の良い状態で運搬することができ、一度に運搬できる該太陽光パネル設置用浮き架台１の数量を多くして運搬コストを低減することができる。また、前記水面からの冷気が前記フロート開口部を通って前記太陽光パネルに到達して該パネルを冷却することが可能となり、パネルの温度上昇を抑制し該上昇に伴う発電効率の低下を抑制することができる。
【００２４】
上記した第２及び３の観点によれば、簡単な操作で前記立体支持部を前記フロート部に取り付けることができるだけでなく、該フロート部が波風によって長期間揺らされても前記立体支持部は該フロート部から外れにくいという効果を得ることができる。
【００２５】
上記した第４の観点によれば、前記太陽光パネルを固定するためのブラケットやボルトを該太陽光パネルの上縁部に配置する必要は無く、その分、部品点数（つまり、ブラケットやボルトの点数）を削減することができる。その結果、コストを削減することができると共に、前記太陽光パネルを固定するための作業も簡素化することができる。
【００２６】
上記した第５の観点によれば、前記フロート開口部内における前記係留用長尺部材の自由な移動を阻止して、該係留用長尺部材が色々な部材（例えば、前記太陽光パネル）に損傷を与えてしまう事態を回避することができる。
【００２７】
上記した第６の観点によれば、前記足場部を利用して太陽光パネル等のメンテナンスを行うことができる。
【００２８】
空気を充填することにより浮力を生じさせているような場合にはその空気が抜けてしまった場合には浮力を失ってしまうおそれがある。しかし、上記した第７及び第１２の観点によれば、浮材によって浮力を維持しているので、そのようなおそれは無い。
【００２９】
上記した第８及び９の観点によれば、水面に浮べられた前記太陽光パネル設置用構造物が波に揺られる場合であっても、それぞれの浮き架台は、他の浮き架台の動きに拘束されにくくなって波間で比較的自由に揺られることが可能となり、特定の箇所に力が集中してしまったりする事態を低減又は防止することができる。
【００３０】
上記した第１０及び１１の観点によれば、製造時に前記第２成形型を使用するかしないかの違いだけで、形状の違う構造物（つまり、前記立設支持部を容易に取り外すことができる太陽光パネル設置用浮き架台、及び、該立設支持部を容易には取り外すことができない太陽光パネル設置用浮き架台）を造り分けることができ、両方の製品を製造するために全く別々の成形型を用意する必要が無く、その分、製造コストを削減することができる。
【図面の簡単な説明】
【００３１】
【図１】図１は、本発明に係る太陽光パネル設置用浮き架台の構造の一例を示す側面図である。
【図２】図２は、本発明に係る太陽光パネル設置用浮き架台の使用状態の一例を示す平面図である。
【図３】図３は、本発明に係る太陽光パネル設置用浮き架台の使用状態の一例を示す斜視図である。
【図４】図４（ａ）は、立設支持部が太い連結部によりフロート部に連結された状態の一例を示す斜視図であり、同図（ｂ）は、立設支持部が細いブリッジ部によりフロート部に連結された状態の一例を示す斜視図である。
【図５】図５は、太陽光パネルの支持構造の一例を示す側面図である。
【図６】図６は、本発明に係る太陽光パネル設置用構造物の構造の一例を示す平面図である。
【図７】図７（ａ）（ｂ）は、浮き架台どうしの接触状態の一例を示す側面図である。
【図８】図８（ａ）は、第１成形型及び第２成形型を使用してブリッジ部を成形する様子の一例を示す断面図であり、同図（ｂ）は、その分解断面図である。
【図９】図９（ａ）は、第１成形型を使用して連結部を成形する様子の一例を示す断面図であり、同図（ｂ）は、その分解断面図である。
【図１０】図１０は、太陽光パネル設置用浮き架台と板状部材とを帯状体で連結する構造の一例を示す断面図である。
【図１１】図１１は、太陽光パネル設置用浮き架台の従来構造の一例を示す斜視図である。
【図１２】図１２（ａ）は、ケーシング及び連結用要素の外観を示す斜視図であり、同図（ｂ）は、その連結部の構造の一例を示す図である。
【図１３】図１３（ａ）は、前記フロート部を示す平面図であり、同図（ｂ）は、その側面図であり、同図（ｃ）  は、前記立設支持部の正面図であり、同図（ｄ）は、その側面図である。
【発明を実施するための形態】
【００３２】
以下、図１乃至図１０に沿って、本発明の実施の形態について説明する。
【００３３】
本発明に係る太陽光パネル設置用浮き架台は、太陽光パネルを水面又は海面（以下、単に“水面”とする）に浮かせた状態で設置するためのものであって、図１に符号１で例示するように、
・  該水面Ａに浮くように構成されるフロート部１０と、
・  該フロート部１０から上方に立設される立設位置１１Ａに着脱自在に配置されるように構成された立設支持部１１と、
を備えている。そして、前記フロート部１０は、前記水面Ａに浮いている場合に上下に貫通するように配置される開口部（図２及び図３の符号１２参照。以下、“フロート開口部“とする）を有している。また、前記立設支持部１１は、前記立設位置１１Ａに配置された場合に前記太陽光パネルＰを水面Ａよりも高い位置で支持するように構成されている。さらに、この立設支持部１１は、該太陽光パネルＰを所定の角度θに傾斜した姿勢に支持するように構成されている（図１参照）。またさらに、該立設支持部１１は、図４（ａ）（ｂ）に例示するように、前記フロート開口部１２の内部に配置されて前記フロート部１０に収容される収容位置１１Ｂを取り得るようにも構成されている。
【００３４】
そして、前記立設支持部１１を前記収容位置１１Ｂに配置している場合には、該立設支持部１１を前記立設位置１１Ａに配置している場合に比べて前記フロート部１０からの該立設支持部１１の突出量を少なくでき（つまり、該立設支持部１１は該フロート部１０に収容されている状態となり）、前記太陽光パネル設置用浮き架台１を設置する現場までは該太陽光パネル設置用浮き架台１を荷姿の良い状態で運搬することができ、一度に運搬できる該太陽光パネル設置用浮き架台１の数量を多くして運搬コストを低減することができる。なお、前記立設支持部１１の前記収容位置１１Ｂへの固定は、公知の係止機構（例えば、前記フロート部１０の適当な位置に凹部や凸部を形成しておいて前記立設支持部１１をその凹部や凸部に係止させる機構や、バンドやピンやクリップなどの係止機構）を用いても良いが、前記立設支持部１１が前記収容位置１１Ｂにある状態となるように太陽光パネル設置用浮き架台１を一体成形により作製するようにしても良い（詳細は後述する）。
【００３５】
ここで、前記フロート部１０は、気密性を有するケースの中に空気を充填することにより浮力を有するようにしても良いが、水又は海水よりも比重が軽くて浮力を生じさせる浮材（図１の符号１０ａ参照。例えば、発泡スチロールなど）を有するようにすると良い。具体的には、該フロート部１０の外壁を、堅牢な樹脂で殻状に形成し、前記浮材１０ａをその外壁の内部に充填するようにすると良い。なお、該浮材１０ａの充填は、前記外壁の成形と同時に行っても良いが、該外壁の成形の後に行うようにしても良い。このような浮材１０ａを用いた場合には、空気により浮力を確保するような場合に比べて浮力が損なわれにくくなり、前記太陽光パネルＰを長期に亘って水面上に保持することが可能となる。
【００３６】
ところで、前記立設支持部１１を前記立設位置１１Ａに着脱自在に配置するための構造としては種々の構造を挙げることができる。例えば、前記フロート部１０の適当な位置に凹部（不図示）や孔部（同じく不図示）を設けておいて、その凹部や孔部に前記立設支持部１１を挿し込めるようにしておいても良く、或いは、該フロート部１０の適当な位置に凸部（不図示）を設けておいて、その凸部により前記立設支持部１１を支持するようにしても良い。最も好ましい態様としては、前記フロート部１０にレール部（図１３（ａ）（ｂ）の符号１０ｄ参照）を設けておくと共に、前記立設支持部１１には、該レール部１０ｄに摺動自在に嵌入され得る嵌入部（図１３（ｃ）（ｄ）の符号１１ｃ参照）を形成しておき、該嵌入部１１ｃが該レール部１０ｄに嵌入されることにより、前記立設支持部１１は前記立設位置１１Ａを取った状態で前記フロート部１０に支持されるように構成すると良い。その場合、該レール部１０ｄは、前記フロート部１０が前記水面Ａに浮いている場合に略水平方向（ｘ方向）に延設されるように形成しておき、前記立設支持部１１が前記立設位置１１Ａにあって前記太陽光パネルＰを支持している場合には、該立設支持部１１の前記嵌入部１１ｃは前記レール部１０ｄに押圧されることに基づき摺動しにくくなる（つまり、前記嵌入部１１ｃが該レール部１０ｄを摺動しにくくなる）ように構成すると良い。そのようにした場合には、簡単な操作で前記立体支持部１１を前記フロート部１０に取り付けることができるだけでなく、該フロート部１０が波風によって長期間揺らされても前記立体支持部１１は該フロート部１０から外れにくいという効果を得ることができる。また、図１、４及び５に符号１０ｇ及び１０ｈで示すように、該フロート部１０の上面１０i（すなわち、該フロート部１０が水に浮いている場合の上面）には、前記立設位置１１Ａにある立設支持部１１を挟持するように、少なくとも一対の突起部が形成されている。これら一対の突起部１０ｇ，１０ｈは、前記レール部１０ｄが延設される方向（すなわち、ｘ方向）に並設されている。そして、前記立設支持部１１を該レール部１０ｄに挿入する方向（すなわち、−ｘ方向）の上流側に配置される突起部１０ｇは、図５に詳示するように、なだらかに傾斜した傾斜面１０ｇ１と、略水平に形成された水平面１０ｇ２と、前記立設支持部１１を支持する支持面１０ｇ３とを有しており、該立設支持部１１を前記レール部１０ｄに挿入する際には、該立設支持部１１の下面の一部は、該傾斜面１０ｇ１及び該水平面１０ｇ２を摺動した上で前記立設位置１１Ａにまで移動されることとなる。また、他方の突起部１０ｈは、前記立設支持部１１を支持する支持面１０ｈ３を有しており、該支持面１０ｈ３は前記突起部１０ｇの支持面１０ｇ３と共に該立設支持部１１を挟持することにより該立設支持部１１を堅固に支持するようになっている。
【００３７】
一方、前記立設位置１１Ａに配置された場合の前記立設支持部１１は、所定の角度θに傾斜した姿勢に前記太陽光パネルＰを支持するように構成されているが、該立設支持部１１には、該太陽光パネルＰを係止するための係止部を形成しておく必要がある。この係止部として、最も好ましい態様としては、前記太陽光パネルＰの一部（図５の符号Ｐａ参照）が挿入されることにより該太陽光パネルＰを支持するスリット部１１ｂを挙げることができ、該スリット部１１ｂは、前記立設支持部１１の上端部近傍に形成しておくと良い。具体的には、前記太陽光パネルＰの上縁部に略Ｌ字形のフック部Ｐａを形成しておいて、上述のスリット部１１ｂにはこのフック部Ｐａを挿入できるようにしておくと良い。そして、該スリット部１１ｂに挿入したフック部Ｐａの下側にはスペーサ部（例えば、幅が１０ｍｍで２．５ｍｍ程度の厚さの板状部）１９を数カ所に配置して前記太陽光パネルＰのガタツキを抑えるようにすると良い。このスペーサ部１９は前記フロート部１０や前記フック部Ｐａと一体的に形成しても良いが、該フロート部１０や該フック部Ｐａとは別体で形成しても良い。なお、該太陽光パネルＰの下縁部は、適当な形状のブラケットやボルトによって前記フロート部１０に固定するようにすると良い。そのようにした場合には、ブラケットやボルトは前記太陽光パネルＰの下縁部のみに配置すれば足り、該太陽光パネルＰの上縁部に配置する必要は無く、その分、部品点数（つまり、ブラケットやボルトの点数）を削減することができる。その結果、コストを削減することができると共に、前記太陽光パネルＰを固定するための作業も簡素化することができる。
【００３８】
また一方、図２及び図６に例示するように、上述したフロート開口部１２の縁部には切欠や孔など（以下、“係留用係止部とする）１０ｃを形成しておいて、該係留用係止部１０ｃには長尺の部材（例えば、可撓性に富む繊維製のロープ、可撓性に富む金属製のワイヤロープ、或いは、樹脂製や金属製のチェーンなどであって、以下“係留用長尺部材”とする）１８を係止できるようにしても良い。そして、該係留用長尺部材１８の一端を湖岸や海岸に固設されたアンカー部材（不図示）に固定しておいて、該係留用長尺部材１８によって前記太陽光パネル設置用浮き架台１を前記水面Ａの所定位置に係留するようにすると良い。その場合、前記係留用長尺部材１８は前記太陽光パネル設置用浮き架台１の側においては前記係留用係止部１０ｃに係止されているので、前記フロート開口部１２内における前記係留用長尺部材１８の自由な移動を阻止して、該係留用長尺部材１８が色々な部材（例えば、前記太陽光パネルＰ）に損傷を与えてしまう事態を回避することができる。なお、前記フロート部１０を作業者が持ち運ぶ場合には、前記フロート開口部１２に作業者自身の体や腕や手を入れて前記係留用係止部１０ｃを持つことで持ち運びやすくなる。また、図１３（ａ）に符号１０ｅや１０ｆで示す部分に窪みを形成しておいて、該窪み１０ｅ，１０ｆに上述した係留用長尺部材１８を係止して該係留用長尺部材１８のズレ防止を図るようにしても良い。さらに、該フロート部１０の下部にはスリット状の窪みを形成しておいて、フォークリフトの爪が入るようにしても良い。また、該スリット状の窪みを利用して該フロート部１０を保持するようにしても良い。例えば、作業中に該フロート部１０を傾斜地に置いておかなければならないような場合には、該スリット状の窪みを利用して該フロート部１０を保持するようにすると良い。
【００３９】
ところで、図３に例示するように、水面Ａに沿った位置の水平方向をｘ方向とし、該ｘ方向に直交する他の水平方向をｙ方向とした場合に、前記フロート部１０は、前記立設支持部１１により支持された前記太陽光パネルＰに覆われない位置にまで前記ｘ方向に延設されると共にその上面１００ａ（つまり、前記太陽光パネルＰに覆われない位置にまで前記ｘ方向に延設された部分の上面）の少なくとも一部が略平坦であるように形成されて足場として機能するように構成された足場部１００、を有するようにしても良い。前記フロート部１０は、この足場部１００と該足場部以外の部分とを一体的に（つまり、分離不可能な状態に）形成していても良いが、分離可能な状態に形成しても良い。また、この足場部１００は浮力を有する材料で形成されていることが好ましいが、浮力を持たない材料で形成したものを排除する趣旨ではない。このような足場部１００を設けた場合には、該足場部１００を利用して太陽光パネルＰ等のメンテナンスを行うことができる。
【００４０】
ところで、図６に例示するように、前記太陽光パネル設置用浮き架台１（すなわち、前記フロート部１０）のｙ方向の幅寸法が太陽光パネルＰのｙ方向の幅寸法よりも小さくなるようにしても良い。そのようにした場合には、前記太陽光パネル設置用浮き架台１の幅を小さくした分だけ、材料コストや製造コストや運送コストを低減することができる。しかしながら、前記太陽光パネル設置用浮き架台１（前記フロート部１０）のｙ方向の幅寸法を太陽光パネルＰのｙ方向の幅寸法と同等又は大きくした場合を本発明の範囲から除外するものではない。
【００４１】
一方、本発明に係る太陽光パネル設置用構造物は、前記太陽光パネルＰを水面Ａに浮かせた状態で設置するためのものであって、図２及び図３に符号Ｄで例示するように、縦横に配列された少なくとも４つの前記太陽光パネル設置用浮き架台１を備えている。ここで、１つの太陽光パネル設置用浮き架台１ＢＲを“第１浮き架台”とし、該第１浮き架台１ＢＲの前記ｘ方向に隣接されてなる１つの太陽光パネル設置用浮き架台１ＢＬを“第２浮き架台“とし、該第１浮き架台１ＢＲの前記ｙ方向に隣接（並設）されてなる１つの太陽光パネル設置用浮き架台１ＡＲを“第３浮き架台”とし、前記第２浮き架台１ＢＬの前記ｙ方向に隣接（並設）されてなる１つの太陽光パネル設置用浮き架台１ＡＬを“第４浮き架台”とした場合に、該第１浮き架台１ＢＲと該第３浮き架台１ＡＲとは所定距離だけ離間した状態に配置されており、該第２浮き架台１ＢＬと該第４浮き架台１ＡＬとは所定距離だけ離間した状態に配置されている。
【００４２】
そして、本発明に係る太陽光パネル設置用構造物Ｄは、前記ｙ方向に離間した浮き架台（具体的には、前記第１浮き架台１ＢＲ及び／又は前記第２浮き架台１ＢＬと前記第３浮き架台１ＡＲ及び／又は前記第４浮き架台１ＡＬとの間）に架け渡される板状部材１４を備えている。この板状部材１４が配置される態様としては、以下の態様を挙げることができる。すなわち、
・  該板状部材１４の一端部１４ａが前記第１浮き架台１ＢＲに載置されると共に該板状部材１４の他端部１４ｂが前記第３浮き架台１ＡＲに載置されることに基づき、該板状部材１４が該第１浮き架台１ＢＲと該第３浮き架台１ＡＲとに架け渡される態様
・  該板状部材１４の一端部１４ａが前記第２浮き架台１ＢＬに載置されると共に該板状部材１４の他端部１４ｂが前記第４浮き架台１ＡＬに載置されることに基づき、該板状部材１４が該第２浮き架台１ＢＬと該第４浮き架台１ＡＬとに架け渡される態様
・  該板状部材１４の一端部１４ａが前記第１浮き架台１ＢＲ及び前記第２浮き架台１ＢＬの両方に載置されると共に該板状部材１４の他端部１４ｂが前記第３浮き架台１ＡＲ及び前記第４浮き架台１ＡＬの両方に載置されることに基づき、該板状部材１４が該第１及び第２浮き架台１ＢＲ，ＢＬと該第３及び第４浮き架台１ＡＲ，１ＡＬとに架け渡される態様
【００４３】
このような太陽光パネル設置用構造物Ｄによれば、複数枚の太陽光パネルＰを水面上にて支持することができる。また、上述のような板状部材１４は各浮き架台１ＡＲ，…の足場部１００に架け渡すように配置して、該足場部１００と共に連続的につながる通路を形成するようにすると良い。そのようにした場合には、該通路を使って作業者が容易に移動できる。
【００４４】
一方、本発明に係る太陽光パネル設置用構造物Ｄは、図２に詳示するように、
・  前記板状部材１４の前記一端部１４ａと前記第１浮き架台１ＢＲと前記第２浮き架台１ＢＬとに巻き掛けられて配置される第１帯状体１３Ａと、
・  前記板状部材１４の前記他端部１４ｂと前記第３浮き架台１ＡＲと前記第４浮き架台１ＡＬとに巻き掛けられて配置される第２帯状体１３Ｂと、
を備えている。これらの第１帯状体１３Ａ及び第２帯状体１３Ｂは、可撓性或いは柔軟性に富む部材（例えば、樹脂や繊維や金属等の可撓性材料で形成された長尺部材であって、バンドとかベルトとか称されるもの）で構成すると良い。該帯状体１３Ａ，１３Ｂは、少なくとも一端が真っ直ぐ伸びるのではなくいずれかの方向に緩く湾曲又は屈曲されているような形状が好ましい。例えば、標識板や電柱札などを電柱に取り付けるための樹脂製のバンド（全体が湾曲したバンド）が市販されているが、そのようなバンドを前記帯状体１３Ａ，１３Ｂとして利用しても良い。また、これらの第１帯状体１３Ａ及び第２帯状体１３Ｂは比較的緩く巻き掛けるようにして、各浮き架台１ＡＬ，…や前記板状部材１４が比較的自由に揺動できるようにしておくと良い。したがって、前記第１浮き架台１ＢＲと前記第２浮き架台１ＢＬとは、可撓性或いは柔軟性に富む前記第１帯状体１３Ａが比較的緩く巻き掛けられて連結されることに基づき、それらの架台１ＢＲ，１ＢＬのｘ軸周りの相対回転及びｙ軸周りの相対回転が許容されることとなる。その結果、水面Ａに浮べられた前記太陽光パネル設置用構造物Ｄが波に揺られる場合であっても、それぞれの浮き架台１ＢＲ又は１ＢＬは、他の浮き架台１ＢＬ又は１ＢＲの動きに拘束されにくくなって波間で比較的自由に揺られることが可能となり、特定の箇所に力が集中してしまったりする事態を低減又は防止することができる。そして、メンテナンス等のために該太陽光パネル設置用構造物Ｄを陸に揚げる場合であっても、各浮き架台１ＢＲ，１ＢＬは地形の傾斜に沿って比較的自由に変位（揺動）することができ、特定の箇所に力が集中してしまったりする事態を低減又は防止することができる。また、前記第３浮き架台１ＡＲと前記第４浮き架台１ＡＬとは、可撓性或いは柔軟性に富む前記第２帯状体１３Ｂが比較的緩く巻き掛けられて連結されることに基づき、それらの架台１ＡＲ，１ＡＬのｘ軸周りの相対回転及びｙ軸周りの相対回転が許容されることとなって同様の効果を得ることができる。さらに、図１０に例示するように、前記第１浮き架台１ＢＲ及び前記第２浮き架台１ＢＬと前記板状部材１４とは、可撓性或いは柔軟性に富む前記第１帯状体１３Ａが比較的緩く巻き掛けられて連結されることに基づき、両架台１ＢＲ，１ＢＬと前記板状部材１４のｘ軸周りの相対回転及びｙ軸周りの相対回転が許容されることとなって同様の効果を得ることができる。またさらに、前記第３浮き架台１ＡＲ及び前記第４浮き架台１ＡＬと前記板状部材１４とは、可撓性或いは柔軟性に富む前記第２帯状体１３Ｂが巻き掛けられて連結されることに基づき、両架台１ＡＲ，１ＡＬと前記板状部材１４のｘ軸周りの相対回転及びｙ軸周りの相対回転が許容されることとなって同様の効果を得ることができる。
【００４５】
この場合、図７（ａ）（ｂ）に詳示するように、前記第１浮き架台１ＢＲ，２１ＢＲの端部であって前記第２浮き架台１ＢＬ，２１ＢＬに対向する側の第１端部１ＢＲ１，２１ＢＲ１、及び該第２浮き架台１ＢＬ，２１ＢＬの端部であって該第１浮き架台１ＢＲ，２１ＢＲに対向する側の第２端部１ＢＬ２，２１ＢＬ２は、該第１端部１ＢＲ１，２１ＢＲ１と該第２端部１ＢＬ２，２１ＢＬ２とが点接触又は線接触をするように角部を有する状態に形成しておくと良い。そのようにした場合には、前記第１浮き架台１ＢＲ，２１ＢＲ及び前記第２浮き架台１ＢＬ，２１ＢＬのｙ軸周りの円滑な相対回転が許容されることとなる。その結果、水面Ａに浮べられた前記太陽光パネル設置用構造物Ｄが波に揺られる場合であっても、それぞれの浮き架台１ＢＲ，１ＢＬ，２１ＢＲ，２１ＢＬは、他の浮き架台１ＢＬ，…の動きに拘束されにくくなって波間で比較的自由に揺られることが可能となり、特定の箇所に力が集中してしまったりする事態を低減又は防止することができる。同様に、前記第３浮き架台１ＡＲ，２１ＡＲの端部であって前記第４浮き架台１ＡＬ，２１ＡＬに対向する側の第３端部１ＡＲ１，２１ＡＲ１、及び該第４浮き架台１ＡＬ，２１ＡＬの端部であって該第３浮き架台１ＡＲ，２１ＡＲに対向する側の第４端部１ＡＬ２，２１ＡＬ２は、該第３端部１ＡＲ１，２１ＡＲ１と該第４端部１ＡＬ２，２１ＡＬ２とが点接触又は線接触をするように角部を有する状態に形成しておくと良い。そのようにした場合には、上述と同様の効果を得ることができる。なお、前記角部は、鋭く尖った角部だけでなく、丸みを帯びた角部であっても良い。
【００４６】
一方、本発明に係る浮き架台製造方法は、
・  水面Ａ（正確には、水面又は海面）に浮くように構成されると共に該水面Ａに浮いている場合に上下に貫通するように配置されるフロート開口部１２を有するフロート部１０と、
・  該フロート部１０から上方に立設される立設位置１１Ａに配置された場合に前記太陽光パネルＰを所定の角度θに傾斜した姿勢に支持するように構成された立設支持部１１と、
・  前記立設位置１１Ａではなく前記フロート開口部１２の内部の位置１１Ｂであって前記フロート部１０に収容される収容位置１１Ｂに前記立設支持部１１を支持するように該立設支持部１１と該フロート部１０とを連結するブリッジ部１５Ａ，１５Ｂと、
からなる太陽光パネル設置用浮き架台１を一体的に成形する方法である。この成形には、少なくとも２つの成形型、すなわち、第１成形型と第２成形型を使用するようになっている。この内の第１成形型は、前記フロート部１０と前記立設支持部１１とを成型し得る形状であって、図８（ａ）（ｂ）に符号１７Ａで例示するように、前記ブリッジ部１５Ａ，１５Ｂとの間には隙間部Ｅ（つまり、破線で囲まれた部分の隙間部Ｅであって、前記ブリッジ部１５Ａ，１５Ｂに沿った隙間部Ｅ）を有する形状となっている。他方の第２成形型１７Ｂは、該ブリッジ部１５Ａ，１５Ｂに沿った隙間部Ｅを埋めるような形状であって、前記第１成形型１７Ａと共に（つまり、該第１成形型１７Ａと協働して）前記ブリッジ部１５Ａ，１５Ｂを成形し得る形状である。これらの第１成形型１７Ａと第２成形型１７Ｂは、互いに接離（分離）できるような構成になっている。なお、前記隙間部Ｅは前記ブリッジ部１５Ａ，１５Ｂに沿って形成されていれば良いが、好ましくは、該ブリッジ部１５Ａ，１５Ｂを囲繞するような形状であると良い。また、前記第１成形型１７Ａや前記第２成形型１７Ｂには金型を使用すれば良い。さらに、図８（ａ）（ｂ）に示す第１成形型１７Ａは２つの型で構成されているが、もちろんこれに限られるものではなく、３つ以上の型で構成されていても良い。またさらに、図８（ａ）（ｂ）に示す第２成形型１７Ｂは１つの型で構成されているが、もちろんこれに限られるものではなく、２つ以上の型で構成されていても良い。
【００４７】
したがって、前記第１成形型１７Ａと前記第２成形型１７Ｂとを使用して成形をした場合には、前記フロート部１０と前記立設支持部１１とは前記第１成形型１７Ａによって形成され、前記ブリッジ部１５Ａ，１５Ｂは、図８（ａ）に例示するように、前記第１成形型１７Ａと前記第２成形型１７Ｂとが協働することにより形成されることとなる。
【００４８】
そして、前記第２成形型１７Ｂを使用せずに前記第１成形型１７Ａを使用して成形を行うことにより、前記隙間部Ｅにまで射出材料が充填されて前記第２成形型１７Ｂを使用して作製した前記ブリッジ部１５Ａ，１５Ｂに比べて太い連結部１６Ａ，１６Ｂを形成することができるようになっている。
【００４９】
これにより、製造時に前記第２成形型１７Ｂを使用するかしないかの違いだけで、
・  図４（ａ）に例示するような形状の太陽光パネル設置用浮き架台１であって、同図（ｂ）に例示するブリッジ部１５Ａ，１５Ｂに比べて太い連結部１６Ａ，１６Ｂを有する構成のものと、
・  図４（ｂ）に例示するような形状の太陽光パネル設置用浮き架台１であって、細い前記ブリッジ部１５Ａ，１５Ｂを容易に切断して前記立設支持部１１を前記フロート部１０から容易に取り外すことができるような構成のものと、
を簡単に造り分けることができる。したがって、両方の製品を製造するために全く別々の成形型を用意する必要が無く、その分、製造コストを削減することができる。ところで、図６に例示するような太陽光パネル設置用構造物Ｄにおいては、作業者が歩行するための通路を設けた方が好ましいが、図４（ａ）に例示する構造物は、フロート開口部１２を前記立設支持部１１及び前記連結部１６Ａ，１６Ｂによってほぼ閉塞した状態となっていて（該立設支持部１１及び該連結部１６Ａ，１６Ｂが人の体重を十分に支えることができるように設計していれば）該通路のための部材として使用することができる。その場合、該フロート開口部１２は該立設支持部１１等によってほぼ閉塞された状態であるため、新たな部材（例えば、アクリル板など）で該フロート開口部１２を閉塞する必要が無く、その点においても、コスト削減を図ることができる。なお、図６に例示する太陽光パネル設置用構造物Ｄにおいては、図４（ａ）に例示する構造物は、太陽光パネルＰを取り囲むように（つまり、太陽光パネル設置用構造物Ｄの周縁部分に）配置されているが、もちろんこれに限られるものではなく、太陽光パネル設置用構造物Ｄの真ん中部分を通るように配置しても良い。
【００５０】
一方、本発明に係る浮き架台製造方法は、水又は海水よりも比重が軽くて浮力を生じさせる浮材１０ａを前記フロート部の内部に充填する工程を備えるようにしても良い。
【００５１】
また、上述した太陽光パネル設置用浮き架台１は樹脂を成形して製造すれば良く、その成形にはブロー成形法を用いると良い。
【符号の説明】
【００５２】
１                  太陽光パネル設置用浮き架台
１ＡＬ              第４浮き架台
１ＡＬ２            第４端部
１ＡＲ              第３浮き架台
１ＡＲ１            第３端部
１ＢＬ              第２浮き架台
１ＢＬ２            第２端部
１ＢＲ              第１浮き架台
１ＢＲ１            第１端部
１０                フロート部
１０ａ              浮材
１０ｃ              係留用係止部
１１                立設支持部
１１ｂ              スリット部
１１Ａ              立設位置
１１Ｂ              収容位置
１２                フロート開口部
１３Ａ              第１帯状体
１３Ｂ              第２帯状体
１４                板状部材
１４ａ              一端部
１４ｂ              他端部
１５Ａ，１５Ｂ      ブリッジ部
１６Ａ，１６Ｂ      連結部
１７Ａ              第１成形型
１７Ｂ              第２成形型
１８                係留用長尺部材
１００              足場部
Ａ                  水面
Ｄ                  太陽光パネル設置用構造物
Ｅ                  隙間部
【図１】
2018030588.tif 000003
【図２】
2018030588.tif 000004
【図３】
2018030588.tif 000005
【図４】
2018030588.tif 000006
【図５】
2018030588.tif 000007
【図６】
2018030588.tif 000008
【図７】
2018030588.tif 000009
【図８】
2018030588.tif 000010
【図９】
2018030588.tif 000011
【図１０】
2018030588.tif 000012
【図１１】
2018030588.tif 000013
【図１２】
2018030588.tif 000014
【図１３】
2018030588.tif 000015